(57)【要約】【課題】損傷を伴うことなく、圧入することができる、ワイヤ材料製のプレスフィットピン及びその製造方法の提供。【解決手段】プレスフィットピン（１）をワイヤ材料から製造する際に、プレスフィットピンの先願（２３）が、圧入工具により損傷するという問題があった。プレスフィットピンの先端が損傷することなく、プレスフィットピン上に工具を支持するために、プレスフィットピンに肩部（３）を設けた。一実施形態では、肩部は圧縮により形成されるが、他の実施形態では、突部、刻印、曲げ部等により形成される。【選択図】図１
2008130564.tif 000002
【特許請求の範囲】
【請求項１】
電気コンタクト用のワイヤ材料製のプレスフィットピン（１）であって、
少なくとも１個の肩部（３）を具備することを特徴とするプレスフィットピン。
【請求項２】
前記少なくとも１個の肩部は、前記プレスフィットピンの前記材料から一体品で形成されていることを特徴とする請求項１記載のプレスフィットピン。
【請求項３】
前記少なくとも１個の肩部の領域に、断面拡張部（Ｑ’）を有することを特徴とする請求項１又は２記載のプレスフィットピン。
【請求項４】
前記少なくとも１個の肩部の領域に、刻印（６）が形成されていることを特徴とする請求項１ないし３のうちいずれか１項記載のプレスフィットピン。
【請求項５】
前記少なくとも１個の肩部の領域で分離していることを特徴とする請求項１ないし４のうちいずれか１項記載のプレスフィットピン。
【請求項６】
少なくとも１個の横方向に突出する突部（４）が、前記少なくとも１個の肩部を形成することを特徴とする請求項１ないし５のうちいずれか１項記載のプレスフィットピン。
【請求項７】
前記少なくとも１個の肩部の領域に、曲げ部（１２）を有することを特徴とする請求項１ないし６のうちいずれか１項記載のプレスフィットピン。
【請求項８】
前記曲げ部はＳ形状であることを特徴とする請求項７記載のプレスフィットピン。
【請求項９】
少なくとも所定の部分で、前記プレスフィットピンの縦方向（Ｌ）に対して横断方向に延びる少なくとも１個の切欠き（１３）を有することを特徴とする請求項１ないし８のうちいずれか１項記載のプレスフィットピン。
【請求項１０】
少なくとも所定の部分で、少なくとも１個の縦縁（１７）を有し、
該少なくとも１個の縦縁は、少なくとも所定の部分で、面取り（１６）を有することを特徴とする請求項１ないし９のうちいずれか１項記載のプレスフィットピン。
【請求項１１】
保持部材（２１）を有することを特徴とする請求項１ないし１０のうちいずれか１項記載のプレスフィットピン。
【請求項１２】
前記プレスフィットピン及び前記保持部材が２体部品であることを特徴とする請求項１１記載のプレスフィットピン。
【請求項１３】
前記保持部材は、前記プレスフィットピンを少なくとも部分的に取り囲む指部（８）であることを特徴とする請求項１１又は１２記載のプレスフィットピン。
【請求項１４】
前記プレスフィットピンを少なくとも部分的に取り囲む前記指部は環状であることを特徴とする請求項１３記載のプレスフィットピン。
【請求項１５】
前記プレスフィットピンを少なくとも部分的に取り囲む前記指部は、前記プレスフィットピンにより貫通される平坦本体（１９）であることを特徴とする請求項１３又は１４記載のプレスフィットピン。
【請求項１６】
前記プレスフィットピンを少なくとも部分的に取り囲む複数の前記指部は、共に結合されていることを特徴とする請求項１３ないし１５のうちいずれか１項記載のプレスフィットピン。
【請求項１７】
前記プレスフィットピンを取り囲むと共に一緒に結合される２個の平坦本体が、前記保持部材を形成することを特徴とする請求項１１ないし１６のうちいずれか１項記載のプレスフィットピン。
【請求項１８】
前記プレスフィットピンを少なくとも部分的に取り囲む前記指部、又は前記２個の平坦本体が、キャリア部材（１０）を形成することを特徴とする請求項１７記載のプレスフィットピン。
【請求項１９】
前記保持部材は、前記プレスフィットピンに溶接されていることを特徴とする請求項１１ないし１８のうちいずれか１項記載のプレスフィットピン。
【請求項２０】
前記保持部材は、前記プレスフィットピンの縦方向に対して横断する方向に前記プレスフィットピンを貫通するピン（２２）であることを特徴とする請求項１１ないし１９のうちいずれか１項記載のプレスフィットピン。
【請求項２１】
前記保持部材は、前記少なくとも１個の肩部、少なくとも所定部分で前記プレスフィットピンの縦方向に対して横断する方向に延びる少なくとも１個の切欠き、又は少なくとも所定部分で面取りのいずれかに支持されていることを特徴とする請求項１１ないし２０のうちいずれか１項記載のプレスフィットピン。
【請求項２２】
前記保持部材は肩部を有することを特徴とする請求項１１ないし２１のうちいずれか１項記載のプレスフィットピン。
【請求項２３】
電気コンタクト用のワイヤ材料からプレスフィットピンを製造する方法であって、
前記プレスフィットピンは、少なくとも１個の肩部を具備することを特徴とするプレスフィットピン製造方法。
【請求項２４】
前記少なくとも１個の肩部は、前記プレスフィットピンの材料から形成されていることを特徴とする請求項２３記載のプレスフィットピン製造方法。
【請求項２５】
前記プレスフィットピンは、前記少なくとも１個の肩部の領域で圧縮されていることを特徴とする請求項２３又は２４記載のプレスフィットピン製造方法。
【請求項２６】
前記プレスフィットピンは、前記少なくとも１個の肩部の領域に刻印が形成されていることを特徴とする請求項２３ないし２５のうちいずれか１項記載のプレスフィットピン製造方法。
【請求項２７】
前記プレスフィットピンは、前記少なくとも１個の肩部の領域で分離していることを特徴とする請求項２３ないし２６のうちいずれか１項記載のプレスフィットピン製造方法。
【請求項２８】
前記プレスフィットピンは、前記少なくとも１個の肩部の領域に曲げ部を有することを特徴とする請求項２３ないし２７のうちいずれか１項記載のプレスフィットピン製造方法。
【請求項２９】
前記プレスフィットピンに、保持部材が形成されていることを特徴とする請求項２３ないし２８のうちいずれか１項記載のプレスフィットピン製造方法。
【請求項３０】
前記保持部材は、前記少なくとも１個の肩部に支持されていることを特徴とする請求項２９記載のプレスフィットピン製造方法。
【請求項３１】
前記保持部材は、前記プレスフィットピンに溶接されていることを特徴とする請求項２９又は３０記載のプレスフィットピン製造方法。
【発明の詳細な説明】
【技術分野】
【０００１】
本発明は、特に差込みコネクタに使用するための、電気コンタクト用にワイヤ材料から製造されるプレスフィットピンに関する。本発明はまた、このようなプレスフィットピンの製造方法に関する。
【背景技術】
【０００２】
半田を使用しないで電気的に接続するために、ワイヤ材料製のプレスフィットピンを使用することが知られている。プレスフィットピンは、工具の補助を得て印刷回路基板又はプラスチック製ハウジング内に圧入され、差込みコネクタの一部として使用される。
【特許文献１】独国特許第２６３１１０７号明細書
【特許文献２】独国特許第４３２６０９１号明細書
【特許文献３】独国特許出願公開第２９２５５９０号明細書
【特許文献４】米国特許第５６６７４１２号明細書
【特許文献５】米国特許第４４４３０５３号明細書
【発明の開示】
【発明が解決しようとする課題】
【０００３】
圧入工具は、プレスフィットピンに大きな力を及ぼす必要があるため、プレスフィットピンの先端で支持される必要がある。この方法における問題は、プレスフィットピンの先端が損傷することが多いことである。
【０００４】
従って、本発明は、損傷を伴うことなく、圧入することができる、ワイヤ材料製のプレスフィットピンを提供することを目的とする。
【課題を解決するための手段】
【０００５】
上述の目的は、本発明に従った、少なくとも１個の肩部を有するプレスフィットピンにより達成される。
【０００６】
本発明の簡単な解決手段は、圧入工具は肩部上に容易に支持されることができ、プレスフィットピンの先端を使用しなくて済むという利点を有する。
【０００７】
肩部を使用することで、工具は、従来技術のようにプレスフィットピンの先端に支持されることなく且つプレスフィットピンを損傷することなく、プレスフィットピンを把持し、より容易に力をプレスフィットピンに縦方向に伝達する。プレスフィットピンを部品に圧入する際に、肩部はさらに、停止手段又は固定手段として機能することができる。従って、肩部は、プレスフィットピンの取扱いを補助し促進する組立体として使用される。
【０００８】
本発明に従った解決手段は、要求通りに組み合わせることができ、各々が固有の利点を有する以下の別の実施形態によりさらに改善される。
【０００９】
肩部は、特に平面を有することができ、この平面の法線方向のベクトルは、ウプレスフィットピンの縦軸方向の一部を有する。
【００１０】
材料の追加しようを回避するために、少なくとも１個の肩部は、プレスフィットピンの材料から一体品で形成してもよい。プレスフィットピン及び肩部の一体品構造により、ワイヤ材料は塑性変形し、ワイヤ材料から肩部を形成する。肩部は、別の実施形態に従ってプレスフィットピンが少なくとも１個の肩部の領域に断面拡張部を有する場合、より容易に形成することができる。
【００１１】
断面拡張部は、その断面において悪影響のある変更によりプレスフィットピンが機械的に弱くなることなく、肩部を形成するのに十分な材料があることを意味する。
【００１２】
肩部は、プレスフィットピンは、少なくとも１個の肩部の領域で刻まれる場合、プレスフィットピンの材料からより簡単に形成することができる。材料は、刻印工程によりプレスフィットピンの内側から外側へ押圧され、肩部内に形成できる。
【００１３】
プレスフィットピンの材料から肩部を形成する別の又は追加の可能性は、少なくとも１個の肩部の領域において分離するプレスフィットピンにある。プレスフィットピンの縦方向の間隙は、ピンの長さの一部にのみわたって延びている。分離は独自に、ピンの外部輪郭の局在的な幅広になることにより、肩部が形成される。
【００１４】
プレスフィットピンの別の有利な実施形態によれば、少なくとも１個の横方向に突出する突部が少なくとも１個の肩部を形成する点で、工具のピンを押圧が促進される。圧入に使用される工具は突部の平坦な下面上に支持することができるのに対し、ピンの方へ傾斜する突部の上面は工具を貫通する。
【００１５】
肩部はまた、プレスフィットピンが少なくとも１個の肩部の領域に曲げ部を有する場合、ワイヤ材料から一体品で製造することができる。プレスフィットピンの断面の変更が望ましくない場合は、曲げ部を形成することができる。
【００１６】
限定された空間に曲げ部を形成し、対称的になるようにプレスフィットピンを同時に構成するために、Ｓ形状に曲げると有利である。
【００１７】
プレスフィットピンの管理容易性は、別の可能なプレスフィットピンの実施形態において、少なくとも或る部分で、プレスフィットピンの縦方向（Ｌ）に対して横切る方向に延びる少なくとも１個の突部を具備する点で改善される。プレスフィットピンの外部輪郭が拡大されない場合は、プレスフィットピンに切欠きを形成することができる。切欠きは、プレスフィットピンを工具内に受容できるように、又はプレスフィットピン上に可能な保持部材を提供するために使用することができる。保持部材は、ピンの把持を容易にし、且つ追加の肩部を提供することにより、組立補助として使用することができる。
【００１８】
プレスフィットピンが断面円形でない場合、別の有利な一実施形態によれば、少なくとも１個の縦縁を有し、少なくとも断面において少なくとも１個の縦縁が面取りを有するような形状にすることができる。プレスフィットピンは、その縦方向の延長部にわたってのみ面取りされる。この結果生ずる、面取りの始点及び終点は、肩部を形成する。工具、又はピンに設けられた保持部材を、これら肩部上に支持することができる。
【００１９】
プレスフィットピンの取扱い及び任意の工具でのプレスフィットピンの実装は、上述したように、保持部材を有するプレスフィットピンにより改善される。保持部材は、機械内でプレスフィットピンを実装するために使用される輪郭を有することができる。材料の使用を制限するために、プレスフィットピンの材料から保持部材を形成することが可能である。
【００２０】
プレスフィットピン及び保持部材の別の可能な一実施形態によれば、プレスフィットピン及び保持部材が２部品であることが有利である。２部品構造において、保持部材が追加部品としてプレスフィットピン上に設けられる場合、プレスフィットピンの取扱いを改善するために、より構造的な可能性を達成することができる。
【００２１】
これらの構造的な可能性の枠組みの中で、プレスフィットピン及び保持部材の接続の安定性は、保持部材が少なくとも部分的にプレスフィットピンを取り囲む場合に増大することができる。
【００２２】
次に、ピンを処理するために、必要な力は、特にプレスフィットピンを少なくとも部分的に取り囲む肩部が環状である場合、ピンに一様に伝達することができる。環状部材は、溶接、又は一体若しくはインタロックフィットの他の結合技法により、プレスフィットピンに取り付けることができる。
【００２３】
更なる構造的可能性は、少なくとも部分的にプレスフィットピンを取り囲む環状部材が、プレスフィットピンが貫通する平坦本体であるという事実の結果である。板又は円板状部材を、平坦本体として使用することができる。プレスフィットピンが貫通する平坦本体はまた、独自に、部品へのピンの押圧を容易にする肩部を提供する。
【００２４】
保持部材の安定性は、少なくとも部分的にプレスフィットピンを取り囲む複数の指部が一緒に結合する場合、増大する。密着した保持部材を形成するために指部を結合する際に、保持部材のピンとの全接触点が力を伝達するので、ピンに伝達される力が改善される。
【００２５】
プレスフィットピンの管理容易性を改善するために、プレスフィットピンを取り囲み一緒に結合される２個の平坦本体が、保持部材を形成することができる。プレスフィットピン及び保持部材間の安定した接続は、保持部材をプレスフィットピンに溶接すること、又は保持部材をプレスフィットピンに押圧又はコーキングすることにより、達成することができる。
【００２６】
さらに可能な構成によれば、保持部材は、プレスフィットピンを少なくとも部分的に取り囲む指部、又はプレスフィットピンを取り囲む２個の平坦本体がキャリア部材（キャリアストリップ）を形成する場合、機械内にプレスフィットピンを送給するために使用することができる。任意の望ましい数のプレスフィットピンは、ストリップ状のキャリア部材に保持することができ、これにより、多数のピンの処理が容易になる。
【００２７】
保持部材がプレスフィットピンに溶接又は半田付けされる場合、プレスフィットピンの保持部材への接続の安定性を増大させることができる。これは、プレスフィットピンの断面積に影響を与えることなく、分離可能ではない、一体の接続を形成する。ピン及び保持部材間の一体フィットは、全空間方向で力がピンに伝達されることができることにより、プレスフィットピンの取扱いを容易にする。
【００２８】
力が主に縦方向にプレスフィットピンに伝達される場合、さらに可能な一実施形態によれば、保持部材は、縦方向に対して横断する方向にプレスフィットピンを貫通するピンにすることができる。この種のピンは、プレスフィットピン内にピンを打ち込むことにより、非常に時間を節約してプレスフィットピン内に導入することができる。
【００２９】
プレスフィットピン及び保持部材間のインタロックフィットを改善するために、少なくとも１個の肩部、少なくとも所定の部分でのプレスフィットピンの縦方向に対して横断する方向に延びる切欠き、又は少なくとも所定部分の面取りに保持部材が支持されるように、保持部材をプレスフィットピンに取り付けることができる。保持部材が切欠きに支持される場合、保持部材と切欠きの係止は、プレスフィットピンへの保持部材の縦方向の両面ロックになる。他方、保持部材を肩部上に載置する場合、一面がロックされるのみである。このため、保持部材をプレスフィットピンの処理に使用し、その後、分離することができる。プレスフィットピンの縦縁は、要求どおり、部分的に面取りすることができる。面取り部から非面取り部までの過渡点では、肩部を形成する段部が形成される。面取りがプレスフィットピンの端部まで延びていない場合、２個の対向する肩部の形成に寄与する。従って、面取りは、保持部材を完全にロックし、一面にのみロックするために使用することができる。
【００３０】
部品内にプレスフィットピンを押圧するのに保持部材を使用するために、別の有利な一実施形態によれば、保持部材が肩部を有するように構成することができる。保持部材上の肩部は、保持部材に対するプレスフィットピンの縦方向の力伝達を改善する。
【００３１】
電気コンタクト用、特に冒頭で述べた差込みコネクタ用にワイヤ材料製のプレスフィットピンを製造する方法に関して、上述の目的は、プレスフィットピンが肩部を具備するという本発明に従って達成される。部品にピンを押圧する工具は、肩部上に支持することができ、この方法ではピンの先端に損傷を与えない。
【００３２】
プレスフィットピンを製造するための本発明の方法は、各々それ自体で有利な以下の追加工程によりさらに改善することができる。
【００３３】
従って、少なくとも１個の肩部がプレスフィットピンの材料から形成される場合、使用する材料の追加をすることなく済ますことができる。
【００３４】
ピン材料から肩部を形成するために必要なプレスフィットピンの材料厚は、少なくとも１個の肩部の領域でプレスフィットピンを圧縮することにより、本方法の任意の延長に従って提供することができる。ピンの厚さは被圧縮位置ではその他の領域より厚いので、圧縮は、被圧縮位置の領域でプレスフィットピンの安定性を増大させるという利点を有する。
【００３５】
プレスフィットピンの材料から肩部を形成するために、ピンの製造方法は、プレスフィットピンが少なくとも１個の肩部の領域で刻まれるように提供される。刻印工程でピンの内側から外側へ押圧された材料は、肩部又は保持部材を形成するのに使用することができる。
【００３６】
さらに可能な工程として、プレスフィットピンは少なくとも１個の肩部の領域で曲げることが提供される。プレスフィットピンを製造する方法において、１個以上の異なる肩部又は複数個のプレスフィットピンが望ましい場合、プレスフィットピンの曲げが有利である。
【００３７】
プレスフィットピンの製造は、任意であるが、プレスフィットピンに形成又は設けられた保持部材を含むことができる。プレスフィットピン上の保持部材は、プレスフィットピンの材料から形成し、又は追加の部品として設けることができ、プレスフィットピンを機械加工又は処理する際にこれら両方が有用である。一般に、保持部材は、固定及び支持の可能性を提供するので、プレスフィットピンの取扱いを容易にする。
【００３８】
方法の更なる可能な延長によれば、保持部材が少なくとも１個の肩部に支持される場合、プレスフィットピンに保持部材を取り付けることが容易になる。従って、保持部材からプレスフィットピンに縦方向に力がより良好に伝達される。
【００３９】
プレスフィットピンを製造する際に、分離できない接続がプレスフィットピン及び保持部材間に望まれている場合、保持部材はプレスフィットピンに一体的に接続することができる。これは、保持部材と、保持部材に対して直接プレスフィットピンに作用するに全力を伝達するプレスフィットピンとの間の固い接続を形成する。
【発明を実施するための最良の形態】
【００４０】
以下、有利な実施形態及び図面を参照して、本発明の一例を詳細に説明する。しかし、説明する実施形態は、上述したように、個別の特徴が互いに独立して又は省略して実施できる可能な構成のみである。
【００４１】
圧縮されたプレスフィットピン１の斜視図である図１を参照して、本発明に従って構成されたプレスフィットピンの構造を最初に説明する。圧縮されたプレスフィットピン１は、縦方向に沿って少なくとも１個の被圧縮位置２を有する。非圧縮位置２の領域において、プレスフィットピン１は、元の断面積Ｑと比較して拡張された断面積Ｑ’を有する。断面積Ｑから拡張された断面積Ｑ’までの過渡部に、段部が形成される。この段部は、プレスフィットピン１の縦方向Ｌに法線が延びる平面を形成する。このため、段部は肩部３を構成する。
【００４２】
以下では、肩部３は、縦方向Ｌに沿ってプレスフィットピン１に力を及ぼすよう工具を支持することができる、任意の種類の縁、隅、突部４、突起１５、段部、曲げ部１２又はキンクの形態をとる。プレスフィットピン１の先端２３までの肩部３の間隔は、プレスフィットピン１が処理される際に先端部２３が損傷しないほど十分に大きくなるべきである。この条件は、プレスフィットピン１上の中間部が肩部３の設置に適するという結果となる。
【００４３】
肩部３の位置、形状及び数は、各用途用にプレスフィットピン１の任意の管理容易性を得るために、中間部内で自由に選択することができる。
【００４４】
肩部３は、工具を支持することに加えて、図１２に示されるような保持部材２１、停止補助、固定補助、計測補助又は位置決め補助として使用することができる点で、要求通りに管理容易性を改善することができる。
【００４５】
図２は、刻印６及び横の突部４を具備する、本発明に従って構成されたプレスフィットピン１を示す。突部４の下面は、肩部３を有する。プレスフィットピン１の方へ傾斜する面取り５は、突部４の下面に位置する。突部４を形成するために必要なプレスフィットピン１の材料は、刻印６によりプレスフィットピン１の中心から外側に押圧される。
【００４６】
図３は、間隙７が設けられると共にキャリア部材１０により組み立てられた複数のプレスフィットピン１を示す。間隙７は、プレスフィットピン１の中心に導入することができる。この間隙７は、プレスフィットピン１が例えば挿入され内側から広げられるためにある。プレスフィットピン１の外部輪郭は間隙７の領域で局在的に増加し、肩部３が形成される。プレスフィットピン１を部分的に取り囲む指部８は、縦方向Ｌに沿って肩部３にロックされる。少なくとも部分的にプレスフィットピン１を取り囲む指部８は、接続部９によって共に結合される。プレスフィットピン１を取り囲む複数の指部８は、架橋部１１により互いに結合され横並びに実装され、連続するキャリア部材１０を形成する。
【００４７】
図４は、本発明に従って構成されると共に複数の突部４が形成されたプレスフィットピン１を示す。複数の突部４は、プレスフィットピン１上に横方向に並んで実装される。プレスフィットピン１は、印刷回路基板又は雌コネクタ内に押圧することができる。突部４は、この場合、逆刺（バーブ）として作用する。突部４上の面取り５により、突部４が関連部品を貫通することができる。突部４上の肩部３は、プレスフィットピン１が部品から滑り落ちることを防止する。同時に、肩部３は、プレスフィットピン１を部品内に押圧する工具に、プレスフィットピン１を固定するために使用される。
【００４８】
図５は、曲げ部１２を有すると共にキャリア部材１０に組み立てられた複数のプレスフィットピン１を示す。曲げ部１２は、プレスフィットピン１上に肩部３を形成する。キャリア部材１０を肩部３上に支持することができる。これにより、縦方向Ｌに沿ってキャリア部材からプレスフィットピン１への力伝達が改善される。
【００４９】
図６は、中心にＳ形状の曲げ部１２を有するプレスフィットピン１を示す。Ｓ形状の曲げ部１２に沿って複数の肩部３が存在する。肩部３は、部品内にプレスフィットピン１を押圧する際に工具を支持するため、及びプレスフィットピン１を部品内に押圧する際の停止部として、使用することができる。
【００５０】
図７は、縦方向の縁１７に切欠きが形成され、リング１４により組み立てられたプレスフィットピン１を示す。リング１４は、その内面に、プレスフィットピン１の切欠き１３に係止する突起１５を有する。突起１５の切欠き１３との係止は、リング１４及びプレスフィットピン１間をインタロックする結果となる。このインタロックは、プレスフィットピン１上にリング１４をしっかりと着座することを確保する。突起１５を溶接として構成することにより、リング１４及びプレスフィットピン１間を一体に接続することができる。
【００５１】
図８は、縦方向の縁１７の所定部分に面取り１６が設けられると共にキャリア部材１０により組み立てられた２個のプレスフィットピン１を示す。キャリア部材１０にプレスフィットピン１を組み立てることは、プレスフィットピン１を取り囲む指部８により生ずる。プレスフィットピン１を取り囲む指部８は、接続部９を有する。これらの指部８は、接続部９で単一ユニットを形成する。
【００５２】
面取り１６による段部において、プレスフィットピン１は肩部３を有する。プレスフィットピン１を取り囲む指部８は、肩部３に支持される。プレスフィットピン１上の肩部３に指部８を支持することにより、指部８及びプレスフィットピン１間にインタロックが存在する。
【００５３】
プレスフィットピン１を処理する際に、指部８は保持部材として使用することができる。保持部材として使用される場合、指部８は、プレスフィットピン１の取扱いを容易にする。指部８はまた、プレスフィットピン１の縦方向Ｌに沿って力の導入を促進する肩部３’を有する。
【００５４】
複数のプレスフィットピン１の指部８は、架橋部９により共に結合することができる。このため、全体では、指部８がキャリア部材１０を形成する。キャリア部材１０は、架橋部９間に孔１８を有する。この孔１８は、機械に対して複数のプレスフィットピン１の機械的供給を簡単にする。
【００５５】
図９は、平坦本体１９を貫通する２個のプレスフィットピン１を示す。平坦本体１９は、プレスフィットピン１上に形成された突部４の肩部３’に縦方向Ｌに沿って支持される。平坦本体１９はまた、キャリア部材及び圧入肩として作用すると共に、円板、板又は突出した本体として構成されてもよい。平坦本体１９は、例えば、プレスフィットピン１に対する溶接、押圧又は接着等の複数の結合方法を組み合わせることにより、一体のインタロック又は非積極的フィットでプレスフィットピンに取り付けることができる。
【００５６】
図１０は、２個の平坦本体１９’により囲まれた２個のプレスフィットピン１を示す。２個の平坦本体１９’は、溶接点２０で共に結合される。これら平担本体１９’は、プレスフィットピン１の縦方向Ｌに沿って突部４上に支持される。突部４は、プレスフィットピン１上に形成される。これら平坦本体１９’は、突部４によってプレスフィットピン１の縦方向Ｌに沿って一側にロックされる。
【００５７】
平坦本体１９’は、保持部材及びキャリア部材として使用されると共に縦方向Ｌに沿って部品内にプレスフィットピン１を押圧することを容易にする。平坦本体１９’がプレスフィットピン１から除去できる一面のロック部材は、縦方向Ｌに対抗する。
【００５８】
図１１は、キャリア部材１０が溶接された３本のプレスフィットピン１を示す。キャリア部材１０は、プレスフィットピン１を取り囲む指部８を有する。これらの指部８は、溶接点２０でプレスフィットピン１に一体的に接続される。
【００５９】
キャリア部材１０上の指部８及び肩部３’は、縦方向Ｌに力を導入するための工具により使用されるか、又は保持部材の目的を満たすことができる。
【００６０】
キャリア部材１０は、処理機械内に複数のプレスフィットピン１を送給するために使用される。キャリア部材１０は、プレスフィットピン１の処理の前、最中又は後に、除去することができる。
【００６１】
図１２は、表面に溶接された保持部材２１を有するプレスフィットピン１を示す。保持部材２１は肩部３’を有する。肩部３’により、保持部材２１は、部品内へプレスフィットピン１を押圧するために圧入肩として使用してもよい。保持部材２１は、プレスフィットピン１の両側に肩部３’を有するので、プレスフィットピン１の縦方向Ｌに沿って力を導入するため、及び停止部として使用することができる。
【００６２】
図１３は、ピン２２が打ち込まれたプレスフィットピン１を示す。ピン２２がプレスフィットピン１の幅より長いので、ピン２２は圧入肩として使用することができる。ピン２２は、プレスフィットピン１の縦方向Ｌに沿ってプレスフィットピン１に力を伝達するか、ピンを固定するために使用することができる。
【００６３】
プレスフィットピン１を部品内に押圧することはまた、端部に先端２３を有する場合に容易になる。
【００６４】
本発明の技術思想の範囲内で、上述の実施形態から逸脱することが可能である。このため、組立補助として使用される肩部３又は３’、突部４、刻印６、間隙７、曲げ部１２、切欠き１３、突起１５及び面取り１６は、ピンの組立が要求するプレスフィットピン１に設けてもよい。従って、このような組立補助がプレスフィットピン１の端部により近くに配置されるにつれ、プレスフィットピン１は部品内により深く押圧することができる。プレスフィットピン１及び組立補助が対称的であるように、組立補助がプレスフィットピン１の中心に配置される場合、プレスフィットピン１は任意の端部で部品内に押圧することができる。指部８、キャリアストリップ１０、平坦本体１９又は１９’、保持部材２１及びピン２２の位置も、要求に応じて変更することができる。
【００６５】
肩部３及び突部４を形成するようプレスフィットピンの材料を提供するために、プレスフィットピン１を要求に応じて圧縮又は刻印することができる。
【００６６】
肩部３，３’を構成する全ての突部４、刻印６、間隙７、指部８、キャリアストリップ１０、曲げ部１２、切欠き１３、リング１４、突起１５、面取り１６、平坦本体１９、保持部材２１及びピン２２は、圧入肩として使用し、保持部材として作用することができる。
【００６７】
肩部３，３’はまた、プレスフィットピン１を処理する際に停止部として使用することができる。
【００６８】
指部８、キャリアストリップ１０、平坦本体１９及びピン２２は、プレスフィットピン１の処理の後の位置で除去するか、残してもよい。
【図面の簡単な説明】
【００６９】
【図１】本発明に従って構成された、被圧縮位置を有するプレスフィットピンの斜視図である。
【図２】本発明に従って構成された、刻印を有するプレスフィットピンの斜視図である。
【図３】本発明に従って構成された、キャリア部材により組み立てられた複数の分離したプレスフィットピンの斜視図である。
【図４】本発明に従って構成された、側面に設けられた突部を有するプレスフィットピンの斜視図である。
【図５】本発明に従って構成された、キャリア部材により組み立てられた複数の曲げられたプレスフィットピンの斜視図である。
【図６】本発明に従って構成された、Ｓ形状に曲げられたプレスフィットピンの斜視図である。
【図７】本発明に従って構成された、リングにより組み立てられたプレスフィットピンの斜視図である。
【図８】本発明に従って構成された、キャリア部材により組み立てられた、切欠きが形成されたプレスフィットピンの斜視図である。
【図９】本発明に従って構成された、平坦本体を貫通する複数のプレスフィットピンの斜視図である。
【図１０】本発明に従って構成された、２個の平坦本体により取り囲まれた２個のプレスフィットピンの斜視図である。
【図１１】本発明に従って構成された、キャリアストリップに溶接された複数のプレスフィットピンの斜視図である。
【図１２】本発明に従って構成された、肩部が溶接付加されたプレスフィットピンの斜視図である。
【図１３】本発明に従って構成された、ピンが打ち込まれたプレスフィットピンの斜視図である。
【符号の説明】
【００７０】
１            プレスフィットピン
３，３’      肩部
４            突部
８            指部
１０          キャリア部材
１２          曲げ部
１３          切欠き
１６          面取り
１７          縦縁
１９，１９’  平坦本体
２１          保持部材
２２          ピン
Ｌ            縦方向
Ｑ’          断面拡張部
【図１】
2008130564.tif 000003
【図２】
2008130564.tif 000004
【図３】
2008130564.tif 000005
【図４】
2008130564.tif 000006
【図５】
2008130564.tif 000007
【図６】
2008130564.tif 000008
【図７】
2008130564.tif 000009
【図８】
2008130564.tif 000010
【図９】
2008130564.tif 000011
【図１０】
2008130564.tif 000012
【図１１】
2008130564.tif 000013
【図１２】
2008130564.tif 000014
【図１３】
2008130564.tif 000015